(57)【要約】      （修正有）【課題】均一な紫外線光照射による硬化が可能なネイルカラー硬化機の光硬化構造を提供する。【解決手段】上部１１及び側部１２により包囲されることで一側に開口を有する収納空間１３が形成され、上部には複数のビア１５が指の爪の位置に対応するように弧形に設けられる台座１、及び台座の上部に設置され、且つ各ビアに対応する位置に貫通孔３１がそれぞれ設けられ、各貫通孔には紫外線光を発光させる発光ダイオード３２がそれぞれ設置される回路基板３を有する。また、上部には回路基板を被覆するカバー４が設置され、各発光ダイオードに対応する位置それぞれに反射部４１が設けられ、反射部に照射された紫外線光は各角度で反射され、回路基板の貫通孔及び台座のビアを経由して収納空間に均一に照射される。【選択図】図１
0003194645.tif 000002
【実用新案登録請求の範囲】
【請求項１】
上部及び側部により包囲されることで一側に開口を有する収納空間が形成され、且つ前記上部には複数のビアが設けられる台座と、
前記台座の上部に設置される回路基板と、
前記台座の上部に設置されると共に前記回路基板を被覆させるカバ−とを備えており、
ここでは、前記回路基板の各ビアに対応する位置には貫通孔がそれぞれ設けられ、各貫通孔それぞれには前記回路基板に電気的に接続される第一発光ダイオードが設置され、
前記第一発光ダイオードは紫外線光を発光させることができ、かつ前記回路基板の貫通孔及び前記台座のビアを経由して前記収納空間に照射されることができ、
また、前記カバ−の各第一発光ダイオードに対応する位置それぞれには反射部が設けられ、
前記反射部に照射された紫外線光は各角度で反射されることができ、且つ前記回路基板の貫通孔及び前記台座のビアを経由して前記収納空間に照射されることができることを特徴とするネイルカラーカラー硬化機の光硬化構造。
【請求項２】
前記第一発光ダイオードは長いストリップ状であり、且つその両端は前記回路基板の貫通孔に連結され、前記第一発光ダイオードは四方に向け発光できることを特徴とする、請求項１記載のネイルカラー硬化機の光硬化構造。
【請求項３】
前記台座の側部には前記収納空間の一側に向けて複数の第二発光ダイオードが設置され、前記第二発光ダイオードは一側に向けて発光できることを特徴とする、請求項１記載のネイルカラー硬化機の光硬化構造。
【請求項４】
前記台座には前記収納空間の一側に向けて反射層が設けられることを特徴とする、請求項１記載のネイルカラー硬化機の光硬化構造。
【請求項５】
前記台座及び前記収納空間はシェルにより被覆され、且つ前記シェルには複数の第一発光ダイオードの作動を制御させるキーが設置されることを特徴とする、請求項１記載のネイルカラー硬化機の光硬化構造。
【考案の詳細な説明】
【技術分野】
【０００１】
本考案は、ネイルカラー硬化機の光硬化構造に関する。
【背景技術】
【０００２】
現代の女性は指の爪に美しくネイルカラーを塗布するのが好きであり、ファッションを追求し続けている。ネイルにネイルカラーを塗布するには顔料を指の爪に塗布させて模様等の装飾を形成させる。ネイルカラーを完成するため、ネイルカラーを塗布した後に指の爪における顔料を硬化させなければならず、現在この業界では多くの場合は硬化機を使用して硬化を行っている。
【０００３】
従来の硬化機の断面図を図４のように示す。空間５１を被覆するケーシング５を有し、前記ケーシング５の前記空間５１の上方には複数のランプ５２が設置され、前記ランプ５２を用いて紫外線光を発射し、下に向けて指の爪に照射して指の爪のネイルカラーを硬化させる。
【考案の概要】
【考案が解決しようとする課題】
【０００４】
しかしながら、前記従来の構造においては、前記ランプ５２は固定位置に設置され、且つ単純に固定方向にしか光線を発射させることができないため、前記空間５１にとっては、光線が直接照射される箇所の受光強度が高くなり、直接照射されない箇所の受光強度が低くなる。即ち、前記空間５１内で光線照射が不均一なため受光の足りない箇所が存在することになる。ほかにも、手のひらを自然に伸ばした状態では、親指の爪は他の４本の指の爪とは違い横に向いてしまうため、従来の構造では親指の爪に施されたネイルカラーは照射を直接受光しにくく、硬化作業に影響を与えた。さらに、使用者の手のひらを前記空間５１の位置に進入させても固定されないため、上述の光線の照射が不均一になる欠点と合わせて、指の爪のネイルカラーも均一に照射されない為に好ましい硬化効果が得られず、改善が強く求められている。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、ネイルカラー硬化機の光硬化構造を提供することを主目的とする。すなわち、反射層が設置されることで、指の爪のネイルカラーを硬化させる光線は多角度で反射され、光線がネイルカラー指の爪に均一に照射されるようになり、硬化効果が向上する。
【課題を解決するための手段】
【０００７】
上述した課題を解決し、目的を達成するために、本考案に係るネイルカラー硬化機の光硬化構造は、上部及び側部により包囲されることで一側に開口を有する収納空間が形成され、且つ前記上部には複数のビアが設けられる台座と、前記台座の上部に設置される回路基板と、前記台座の上部に設置されると共に前記回路基板を被覆するカバ−とを備え、ここでは、前記回路基板の各ビアに対応させる位置には貫通孔がそれぞれ設けられ、各貫通孔それぞれには前記回路基板に電気的に接続される第一発光ダイオードが設置され、前記第一発光ダイオードは紫外線光を発光させ、前記回路基板の貫通孔及び前記台座のビアを経由して前記収納空間に照射され、また、前記カバ−の各第一発光ダイオードに対応する位置には反射部がそれぞれ設けられ、前記反射部に照射された紫外線光は各角度で反射され、且つ前記回路基板の貫通孔及び前記台座のビアを経由して前記収納空間に照射されることことを特徴とする。
【図面の簡単な説明】
【０００８】
【図１】本考案の一実施形態に係るネイルカラー硬化機の光硬化構造を説明する立体分解図である。
【図２】本考案の一実施形態に係るネイルカラー硬化機の光硬化構造を説明する断面図である。
【図３】本考案の使用状態では、局所断面図の拡大図である。
【図４】従来を示す断面図である。
【考案を実施するための形態】
【０００９】
以下に図面を参照して、本考案を実施するための形態について、詳細に説明する。なお、本考案は、以下に説明する実施形態に限定されるものではない。
【００１０】
（一実施形態）
以下、本考案の実施形態を図１〜図３を参照しながら説明する。図１、図２は本考案の一実施形態に係るネイルカラー硬化機の光硬化構造を示す。台座１を備え、前記台座１は上部１１及び側部１２を有し、共に包囲することで一側の開口に向けて収納空間１３が形成され、使用者の手のひらを進入させる。本実施形態では、前記台座１には前記収納空間１３の一側に向けて反射層１４が設けられ、且つ前記台座１及び前記収納空間１３はシェル２により被覆される。
【００１１】
なお、前記台座１の上部１１には複数のビア１５が設けられ、各ビア１５は指の爪の位置に対応するように弧形で配列される。前記台座１の上部１１には回路基板３が設置され、前記回路基板３の各ビア１５に対応する位置それぞれには貫通孔３１が設けられ、各貫通孔３１それぞれには前記回路基板３に電気的に接続される第一発光ダイオード３２が設置される。本実施形態において、前記第一発光ダイオード３２は長いストリップであり、且つ両端は前記貫通孔３１に連結されると共に四方に向けて紫外線光を発光させ、発光された光線は前記回路基板３の貫通孔３１及び前記台座１のビア１５を経由して前記収納空間１３に照射される。本実施形態において、前記シェル２には前記第一発光ダイオード３２を制御させるための複数の作動のキー２１が設置される。
【００１２】
前記台座１の上部１１には前記回路基板３を被覆させるためのカバ−４が更に設置される。前記カバ−４の各第一発光ダイオード３２に対応する位置には反射部４１がそれぞれ設けられ、前記反射部４１に照射された紫外線光は各角度で反射される。本実施形態において、図に示すように、各反射部４１は前記回路基板３から遠ざかる方向に向けられて陥没する溝穴として更に画定され、各溝穴は卵型の円弧形状を呈し、裏表面４２には各弧度を有する円弧面が形成されると共に光線を反射させる。前記反射部４１の前記回路基板３には前記貫通孔３１が覆設される。前記第一発光ダイオード３２から発せられる紫外線光が上に向けて前記貫通孔３１を通過させて前記反射部４１の裏表面４２に照射されると、反射現象を発生させて光線は前記収納空間１３の方向に向けて反射される。更に図３に示すように、前記反射部４１の裏表面４２は各弧度を有し、これにより光線は各角度で反射され、各反射光が前記回路基板３の貫通孔３１及び前記台座１のビア１５を経由して前記収納空間１３に照射されると、同時に前記台座１の反射層１４と共に作用し、光線を前記収納空間１３中で各角度で照射させ、前記収納空間１３に対して均一に照射される効果を達成させる。これにより、使用者の手の指のネイルカラーは紫外線光に各角度から均一に照射されることになり、好ましい硬化効果を獲得する。
【００１３】
さらに、本実施形態において、前記台座１の側部１２には前記収納空間１３の一側に向けられる複数の第二発光ダイオード１６を更に有し、前記第二発光ダイオード１６は一側に向けて発光させ、前記収納空間１３に向けて照射させる。これにより、一側に向けられ照射される光線を強化し、親指の爪のネイルカラーの硬化を促進させる。
【００１４】
上述の実施形態は本考案の技術思想及び特徴を説明するためのものにすぎず、当業者に本考案の内容を理解させると共にこれをもって実施させることを目的とし、本考案の請求の範囲を限定するものではない。従って、本考案の精神を逸脱せずに行う各種の同様の効果を有する改良又は変更は、後述の請求項に含まれるものとする。
【符号の説明】
【００１５】
１台座
１１上部
１２側部
１３収納空間
１４反射層
１５ビア
１６第二発光ダイオード
２シェル
３回路基板
３１貫通孔
３２第一発光ダイオード
４カバ−
４１反射部
４２裏表面
５ケーシング
５１空間
５２ランプ
【図１】
0003194645.tif 000003
【図２】
0003194645.tif 000004
【図３】
0003194645.tif 000005
【図４】
0003194645.tif 000006